(57)【要約】      （修正有）【課題】インターネットを通じた隙間時間の有効活用の機会を提供する。【解決手段】ユーザー及び第三者は、サーバー装置内の情報記憶部３１に、同一に並べるべき数字や絵の画像情報、動画情報、及び／または、それに対応する背景画像情報、動画情報を保存する。そして、サーバー装置の制御部３２もしくはユーザーの端末装置において、同一に並べるべき数字や絵の画像情報、動画情報が、それに対応する背景画像情報、動画情報上に表示される管理手段を有している。ユーザーは、サーバー装置の制御部３２の絵並べゲーム管理手段に基づいて、自分自身で準備した同一に並べるべき数字や絵の画像情報、動画情報、及び／または、それに対応する背景画像情報、動画情報、あるいは、第三者により提供された同一に並べるべき数字や絵の画像情報、動画情報、及び／または、それに対応する背景画像情報、動画情報の中から好みのものを選択して、絵並べゲームを行う。【選択図】図３
2017079936.tif 000002
【特許請求の範囲】
【請求項１】
ユーザーが操作する端末装置に通信回線網を介して接続され、かつ、ユーザーが同一に並べるべき数字や絵が任意に表示さ続けている中で、停止ボタンを押し制止させ、同一方向に同一の数字や絵を並べるゲームを提供するサーバー装置であって、
前記ゲームに関連する情報を記憶する情報記憶部、
あるいは、前記ゲームに関連する情報を記憶する情報保存サーバー装置との連携手段と、
前記情報にアクセスし、前記ゲームに関する演算を実行し、かつ、前記ゲームの画像を
前記端末装置に表示させる制御部と、
を備えており、
前記情報記憶部は、同一に並べるべき数字や絵の画像情報、動画情報及びそれに対応する背景画像情報、動画情報を有しており、
前記制御部は、同一に並べるべき数字や絵の画像情報、動画情報が、それに対応する背景画像情報、動画情報上に表示されるように管理し、
さらに、ユーザーが同一に並べるべき数字や絵が任意に表示さ続けている中で、停止ボタンを押し制止させ、同一方向に同一の数字や絵を並べるゲームを管理する手段を提供する、
サーバー装置。
【請求項２】
ユーザーが操作する端末装置に通信回線網を介して接続され、かつ、ユーザーが同一に並べるべき数字や絵が任意に表示さ続けている中で、停止ボタンを押し制止させ、同一方向に同一の数字や絵を並べるゲームを提供し、前記ゲームに関連する情報を記憶する情報記憶部、あるいは、前記ゲームに関連する情報を記憶する情報保存サーバー装置の情報記憶部との連携手段と、前記情報にアクセスし、前記ゲームに関する演算を実行し、かつ、前記ゲームの画像を、前記端末装置に表示させる制御部とを備えるサーバー装置の制御方法であって、
前記情報記憶部に、同一に並べるべき数字や絵の画像情報、動画情報及びそれに対応する背景画像情報、動画情報を記憶させ、
前記制御部により、同一に並べるべき数字や絵の画像情報、動画情報が、それに対応する背景画像情報、動画情報上に表示されるように管理し、さらに、ユーザーが同一に並べるべき数字や絵が任意に表示さ続けている中で、停止ボタンを押し制止させ、同一方向に同一の数字や絵を並べるゲームを管理する手段を提供する、
サーバー装置の制御方法。
【請求項３】
ユーザーが操作する端末装置に通信回線網を介して接続され、かつ、ユーザーが同一に並べるべき数字や絵が任意に表示さ続けている中で、停止ボタンを押し制止させ、同一方向に同一の数字や絵を並べるゲームに関連する情報を記憶する情報記憶部、あるいは、前記ゲームに関連する情報を記憶する情報保存サーバーの情報記憶部にアクセス可能なコンピューターに、
前記情報記憶部に、同一に並べるべき数字や絵の画像情報、動画情報、及び／または、それに対応する背景画像情報、動画情報を記憶させるステップと、
前記情報にアクセスし、前記同一に並べるべき数字や絵の画像情報、動画情報が、それに対応する背景画像情報、動画情報上に表示されるように管理し、さらに、ユーザーが同一に並べるべき数字や絵が任意に表示さ続けている中で、停止ボタンを押し制止させ、同一方向に同一の数字や絵を並べるゲームに関する演算を実行し、かつ、前記ゲームの画像を、前記端末装置に表示させるステップと、
を実行させるためのプログラム。
【請求項４】
ユーザーが同一に並べるべき数字や絵が任意に表示さ続けている中で、停止ボタンを押し制止させ、同一方向に同一の数字や絵を並べるゲームを提供する端末装置であって、
前記ゲームに関連する情報を記憶する情報記憶部、
あるいは、前記ゲームに関連する情報を記憶する通信回線網を介して接続されたサーバー装置との連携手段と、
前記情報にアクセスし、前記ゲームに関する演算を実行し、かつ、前記ゲームの画像を
前記端末装置に表示させる制御部と、
を備えており、
前記情報記憶部は、同一に並べるべき数字や絵の画像情報、動画情報及びそれに対応する背景画像情報、動画情報を有しており、
前記制御部は、同一に並べるべき数字や絵の画像情報、動画情報が、それに対応する背景画像情報、動画情報上に表示されるように管理し、
さらに、ユーザーが同一に並べるべき数字や絵が任意に表示さ続けている中で、停止ボタンを押し制止させ、同一方向に同一の数字や絵を並べるゲームを管理する手段を提供する、
端末装置。
【請求項５】
ユーザーが同一に並べるべき数字や絵が任意に表示さ続けている中で、停止ボタンを押し制止させ、同一方向に同一の数字や絵を並べるゲームを提供し、前記ゲームに関連する情報を記憶する情報記憶部、あるいは、前記ゲームに関連する情報を記憶する通信回線網を介して接続されたサーバー装置の情報記憶部との連携手段と、前記情報にアクセスし、前記ゲームに関する演算を実行し、かつ、前記ゲームの画像を、前記端末装置に表示させる制御部とを備える端末装置の制御方法であって、
前記情報記憶部に、同一に並べるべき数字や絵の画像情報、動画情報及びそれに対応する背景画像情報、動画情報を記憶させ、
前記制御部により、同一に並べるべき数字や絵の画像情報、動画情報が、それに対応する背景画像情報、動画情報上に表示されるように管理し、さらに、ユーザーが同一に並べるべき数字や絵が任意に表示さ続けている中で、停止ボタンを押し制止させ、同一方向に同一の数字や絵を並べるゲームを管理する手段を提供する、
端末装置の制御方法。
【請求項６】
ユーザーが同一に並べるべき数字や絵が任意に表示さ続けている中で、停止ボタンを押し制止させ、同一方向に同一の数字や絵を並べるゲームに関連する情報を記憶する情報記憶部、あるいは、前記ゲームに関連する情報を記憶する通信回線網を介して接続された情報保存サーバーの情報記憶部に同一に並べるべき数字や絵の画像情報、動画情報、及び／または、それに対応する背景画像情報、動画情報を記憶させるステップと、
前記情報にアクセスし、前記同一に並べるべき数字や絵の画像情報、動画情報が、それに対応する背景画像情報、動画情報上に表示されるように管理し、さらに、ユーザーが同一に並べるべき数字や絵が任意に表示さ続けている中で、停止ボタンを押し制止させ、同一方向に同一の数字や絵を並べるゲームに関する演算を実行し、かつ、前記ゲームの画像を、前記端末装置に表示させるステップと、
を実行させるためのプログラム。
【請求項７】
ユーザーが操作する端末装置、及び、当該端末装置に通信回線網を介して接続され、かつ、ユーザーが同一に並べるべき数字や絵が任意に表示さ続けている中で、停止ボタンを押し制止させ、同一方向に同一の数字や絵を並べるゲームを提供するサーバー装置であって、
前記ゲームに関連する情報を記憶する情報記憶部、
あるいは、前記ゲームに関連する情報を記憶する情報保存サーバー装置との連携手段と、
前記情報にアクセスし、前記ゲームに関する演算を実行し、かつ、前記ゲームの画像を
前記端末装置に表示させる制御部と、
を備えており、
前記情報記憶部は、同一に並べるべき数字や絵の画像情報、動画情報及びそれに対応する背景画像情報、動画情報を有しており、
前記制御部は、同一に並べるべき数字や絵の画像情報、動画情報が、それに対応する背景画像情報、動画情報上に表示されるように管理し、
さらに、ユーザーが同一に並べるべき数字や絵が任意に表示さ続けている中で、停止ボタンを押し制止させ、同一方向に同一の数字や絵を並べるゲームを管理する手段を提供する、
ゲームシステム。
【請求項８】
ユーザーが同一に並べるべき数字や絵が任意に表示さ続けている中で、停止ボタンを押し制止させ、同一方向に同一の数字や絵を並べるゲームを提供する端末装置であって、
前記ゲームに関連する情報を記憶する情報記憶部、
あるいは、前記ゲームに関連する情報を記憶する通信回線網を介して接続されたサーバー装置との連携手段と、
前記情報にアクセスし、前記ゲームに関する演算を実行し、かつ、前記ゲームの画像を
前記端末装置に表示させる制御部と、
を備えており、
前記情報記憶部は、同一に並べるべき数字や絵の画像情報、動画情報及びそれに対応する背景画像情報、動画情報を有しており、
前記制御部は、同一に並べるべき数字や絵の画像情報、動画情報が、それに対応する背景画像情報、動画情報上に表示されるように管理し、
さらに、ユーザーが同一に並べるべき数字や絵が任意に表示さ続けている中で、停止ボタンを押し制止させ、同一方向に同一の数字や絵を並べるゲームを管理する手段を提供する、
ゲームシステム。
【発明の詳細な説明】
【技術分野】
【０００１】
本発明は、通信回線に接続された各端末からの操作によって行う、任意画像動画選択型絵並べゲームの動作を管理するゲームサーバ、ゲーム制御方法、プログラム、記憶媒体及びゲームシステムに関するものである。
【背景技術】
【０００２】
近年、スマートフォンに代表される高機能な携帯端末の普及に伴い、通信回線を利用して提供されるゲームが普及している。また、通信回線速度の向上は、画像や動画を通信回線に接続したサーバー内に容易に保存することを可能とした。そして、ネットゲームユーザーは、スマートフォンなどの操作により、ネットゲームのカスタマイズを容易に行うことができる。
【０００３】
このようなネットゲームの中には、同一の数字や絵を同一方向に３つ並べる（例えば、７７７）ことで、仮想コインが与えられるゲーム（以下、「絵並べゲーム」という。）が存在する。
【発明の概要】
【発明が解決しようとする課題】
【０００４】
従来の絵並べゲームには、数字や絵そのものをユーザーが変更することができるシステムは存在しなかった。そのため、ユーザーがゲームを重ねると、そのゲームに飽きてしまうという課題があった。
【課題を解決するための手段】
【０００５】
通信環境の発展により、解決可能となった上記課題を解決するために、本発明では、まず、メインサーバー装置内もしくは情報保存サーバーに、ユーザーもしくは第三者が自身のスマートフォン等の端末装置を操作することで、通信回線を介して接続する機能を備えている。そして、ユーザーもしくは第三者が保有する同一に並べるべき数字や絵の画像情報、動画情報を上記いずれかのサーバー内の情報記憶部に保存する機能を備えている。また、ユーザーもしくは第三者が保有する同一に並べるべき数字や絵の背景画像、背景動画情報を上記いずれかのサーバー内の情報記憶部に保存する機能を備えている。このように情報記憶部は、メインサーバー内もしくは情報保存サーバー内に存在する。そして、メインサーバー内には、その他に、絵並べゲームに関する演算を処理し、かつ、絵並べゲームの画像を端末に表示させる制御部が存在する。
【０００６】
次に、本発明では、ユーザーが、端末装置を操作して通信回線を介してメインサーバーに接続し、メインサーバー内もしくは情報保存サーバー内の背景画像情報、背景動画情報から、ユーザーがゲームする際の背景画像情報もしくは背景動画情報を選択する。同様に、メインサーバー内もしくは情報保存サーバー内の同一に並べるべき数字や絵の画像、動画情報から、ユーザーがゲームする際の同一に並べるべき数字や絵の画像情報もしくは動画情報を選択する。
【０００７】
そして、ユーザーは、端末装置を操作して通信回線を介してメインサーバーと接続し、制御部が情報記憶部内から、ユーザーがゲームする際の背景画像情報もしくは背景動画情報として選択した背景画像情報もしくは背景動画情報上に、ユーザーがゲームする際の同一に並べるべき数字や絵の画像情報もしくは動画情報として選択した画像情報もしくは動画情報を表示して、絵並べゲームに関する演算を処理する。ユーザーは、通信回線を介して端末装置に表示される、制御部による絵並べゲームに関する演算処理の結果を、視覚的に認識する。そして、制御部による絵並べゲームに関する演算処理の結果、端末装置上に同一に並べるべき数字や絵がランダムに表示され続けている中で、ユーザーは、自身が選んだ背景画像の上に自身が選んだ同一に並べるべき数字や絵がランダムに表示されているのを眺めながら、端末装置上の画面を操作することで、自己の意思で同一に並べるべき数字や絵を停止させ、同一に並べるべき数字や絵を同一に並べることを試みる。
【０００８】
または、ユーザーは、絵並べゲームに関する演算を処理し、かつ、絵並べゲームの画像を表示させる機能を有する端末装置を操作して通信回線を介して、情報記憶部と接続する。そそして、情報記憶部内から、ユーザーがゲームする際の背景画像情報もしくは背景動画情報として選択した背景画像情報もしくは背景動画情報上に、ユーザーがゲームする際の同一に並べるべき数字や絵の画像情報もしくは動画情報として選択した画像情報もしくは動画情報を表示して、絵並べゲームに関する演算を処理する。ユーザーは、端末装置に表示される、絵並べゲームに関する演算処理の結果を、視覚的に認識し、絵並べゲームに関する演算処理の結果、端末装置上に同一に並べるべき数字や絵がランダムに表示され続けている中で、自身が選んだ背景画像の上に自身が選んだ同一に並べるべき数字や絵がランダムに表示されているのを眺めながら、端末装置上の画面を操作することで、自己の意思で同一に並べるべき数字や絵を停止させ、同一に並べるべき数字や絵を同一に並べることを試みる。
【発明の効果】
【０００９】
本発明によれば、ユーザーは、絵並べゲームを行う際に、自己の意思で、希望する時に、同一に並べるべき数字や絵、その背景を変更することができる。その結果、ユーザーは、飽きることなく絵並べゲームを継続することができる。
【図面の簡単な説明】
【００１０】
【図１】本発明による任意画像動画選択型絵並べゲームシステムの基本構成を示すブロック構成図である。
【図２】本発明にかかるサーバー装置の好適な実施携帯を示す概略構成図である。
【図３】本発明による任意画像動画選択型絵並べゲームシステムの全体を示すブロック構成図である。
【図４】同一に並べるべき数字や絵の画像情報、動画情報のサンプル図である。
【図５】同一に並べるべき数字や絵の画像情報、動画情報に対応する背景画像情報、動画情報のサンプル図である。
【図６】同一に並べるべき数字や絵の画像情報、動画情報に、それに対応する背景画像情報、動画情報を対応させる概念図である。
【図７】同一に並べるべき数字や絵の画像情報、動画情報を、それに対応する背景画像情報、動画情報の上に表示させたサンプル図である。
【図８】同一に並べるべき数字や絵の画像情報、動画情報がユーザーの端末装置に任意に表示されるサンプル図である。
【図９】同一に並べるべき数字や絵の画像情報、動画情報が、同一方向に並んだサンプル図である。
【図１０】同一に並べるべき数字や絵の画像情報、動画情報が、同一方向に並んだサンプル図である。
【図１１】同一に並べるべき数字や絵の画像情報、動画情報が、同一方向に並んだサンプル図である。
【発明を実施するための形態】
【００１１】
以下、本発明の実施の形態について詳細に説明する。なお、以下の実施の形態は、本発明を説明するための例示であり、本発明をその実施の形態のみに限定する趣旨ではない。また、本発明は、その要旨を逸脱しない限り、さまざまな変形が可能である。さらに、当業者であれば、以下に述べる各要素を均等なものに置換した実施の形態を採用することが可能であり、かかる実施の形態も本発明の範囲に含まれる。またさらに、必要に応じて示す上下左右等の位置関係は、特に断らない限り、図示の表示に基づくものとする。さらにまた、図面における各種の寸法比率は、その図示の比率に限定されるものではない。また、以下においては、理解を容易にするべく、サーバー装置内情報処理により、本発明が実現される実施の形態を例にとって説明するが、上述の如く、本発明はそれに限定されない。
【００１２】
図１は、本発明の任意画像動画選択型絵並べゲームシステムの基本構成を示すブロック構成図である。図１において、まず、サーバー装置１は、インターネット等の情報処理に係る通信回線又は通信回線網２であるネットワークに接続されたサーバー用コンピューターであり、そのサーバー用コンピューターにおいて所定のサーバー用プログラムが動作することにより、サーバー機能を発現する。次に、そのサーバー装置１と、同じくネットワークに有線接続及び／または無線接続されたクライアントコンピュータ４乃至７、タブレット端末８乃至１１、もしくは携帯端末１２乃至１５といった端末装置３が、互いに通信可能に設定されることにより、本発明の任意画像動画選択型絵並べゲームシステムが構成される。
【００１３】
図２は、本発明によるサーバー装置１の好適な実施携帯を示す概略構成図である。サーバー装置１は、ＣＰＵやＭＰＵといった演算処理部、記憶装置としてのＲＯＭ１７及びＲＡＭ１８、操作部１９及び外部インターフェース２０、ディスプレイモニタ等表示装置２１が接続された画像処理部２２、音声出力装置２３が接続された音声処理部２４、並びに、ネットワークインターフェース２５を備えている。それらの機能は、内部バス、外部バス、及び拡張バスを含むシステムバスといった伝送路を介して互いに接続されている。もっとも、表示装置、音声出力装置等の入出力を担うデバイス装置は、必要に応じて適宜省略されることもある。また、それらが備えられている場合であっても、それらが必ずしも伝送路に常時接続されているわけでなくてもよい。
【００１４】
図３に示されるような任意画像動画選択型絵並べゲームシステム２６は、インターネット等の情報処理に係る通信回線又は通信回線網２であるネットワークを介して、ユーザー及び／または第三者のクライアントコンピュータ４乃至７、タブレット端末８乃至１１、もしくは携帯端末１２乃至１５といった端末装置３と接続される。ユーザー２７及び／または第三者２８は、メインサーバー装置２９もしくは情報保存サーバー装置３０と接続して、それら装置内の情報記憶部３１に図４に示した３、７、太陽マーク等４１乃至４４の同一に並べるべき数字や絵の画像情報、動画情報４０（破線は、参考目的のためのものである）を保存することができる。また、ユーザー２７及び／または第三者２８は、メインサーバー装置２９もしくは情報保存サーバー装置３０と接続して、それら装置内の情報記憶部３１に図５に示した人物や動物等４６乃至４９の画像情報、動画情報（破線は、参考目的のためのものである）を、図６に示すように前記同一に並べるべき数字や絵の画像情報、動画情報４０に対応する背景画像情報、動画情報４５として保存することができる。そして、情報記憶部３１は、同一に並べるべき数字や絵の画像情報、動画情報４０を管理する手段３３、及び、この同一に並べるべき数字や絵の画像情報、動画情報４０に対応する背景画像情報、動画情報４５を管理する手段３４を有している。
【００１５】
また、メインサーバー装置２９の制御部３２において、前記同一に並べるべき数字や絵の画像情報、動画情報４０が、それに対応する背景画像情報、動画情報４５上に、図７の５０乃至５３のように表示される管理手段３６を有している。もしくは、ユーザー２７の端末装置内に、前記同一に並べるべき数字や絵の画像情報、動画情報４０が、それに対応する背景画像情報、動画情報４５上に、図７の５０乃至５３のように表示される管理手段を有している。さらに、メインサーバー装置２９は、制御部３２において、絵並べゲームを管理する手段３５も有している。
【００１６】
任意画像動画選択型絵並べゲームシステム２６を利用して、絵並べゲームを利用するユーザー２７は、インターネット等の情報処理に係る通信回線又は通信回線網２であるネットワークを介して、メインサーバー装置２９とネットワークに有線接続及び／または無線接続された自身のクライアントコンピュータ４乃至７、タブレット端末８乃至１１、もしくは携帯端末１２乃至１５といった端末装置３と接続させる。ユーザー２７が操作する端末装置３は、情報記憶部３１へアクセスする手段３８と、絵並べゲームを実行する手段３９を有している。
【００１７】
ユーザー２７は、インターネット等の情報処理に係る通信回線又は通信回線網２であるネットワークを介して、メインサーバー装置２９とネットワークに有線接続及び／または無線接続された自身のクライアントコンピュータ４乃至７、タブレット端末８乃至１１、もしくは携帯端末１２乃至１５といった端末装置３と接続させ、自身が有している同一に並べるべき数字や絵の画像情報、動画情報４０、及び／または、それら同一に並べるべき数字や絵の画像情報、動画情報４０に対応する背景画像情報、動画情報４５を保存する。もしくは、ユーザー２７が操作する端末装置３内で、自身が有している同一に並べるべき数字や絵の画像情報、動画情報４０や、それら同一に並べるべき数字や絵の画像情報、動画情報４０に対応する背景画像情報、動画情報４５を、絵並べゲーム実行のために保存する手段を有している。
【００１８】
また、ユーザー２７以外の第三者２８は、インターネット等の情報処理に係る通信回線又は通信回線網２であるネットワークを介して、メインサーバー装置２９とネットワークに有線接続及び／または無線接続された自身のクライアントコンピュータ４乃至７、タブレット端末８乃至１１、もしくは携帯端末１２乃至１５といった端末装置３と接続させ、自身が有している同一に並べるべき数字や絵の画像情報、動画情報４０、及び／または、それら同一に並べるべき数字や絵の画像情報、動画情報４０に対応する背景画像情報、動画情報４５を保存する手段を有している３７。
【００１９】
そして、ユーザー２７は、インターネット等の情報処理に係る通信回線又は通信回線網２であるネットワークを介して、メインサーバー装置２９とネットワークに有線接続及び／または無線接続された自身のクライアントコンピュータ４乃至７、タブレット端末８乃至１１、もしくは携帯端末１２乃至１５といった端末装置３と接続させ、絵並べゲーム管理手段３５に基づいて絵並べゲームを行う。ユーザー２７は、端末装置３を操作して、図８のように、同一に並べるべき数字や絵（破線は、参考目的のためのものである）が、任意に表示されている５４乃至５７中で、停止ボタン５８を押し、図９、図１０、図１１のように、同一に並べるべき数字や絵を、同一方向に並んだ状態５９乃至６１で、画像や動画が停止するように試みる。このようなユーザー２７の端末装置３におけるゲーム実行手段は、制御部３２でゲーム管理手段３５により実行された結果を、ユーザー２７端末装置３に表示するか、もしくは、ユーザー２７の端末装置３内で情報記憶部３１または端末装置３内の同一に並べるべき数字や絵の画像や動画を任意に端末装置３の画面に表示して実行する方法で行われる。
【符号の説明】
【００２０】
１  サーバー装置のこと
２  通信回線網のこと
３  端末装置のこと
４  クライアントコンピューターのこと
５  クライアントコンピューターのこと
６  クライアントコンピューターのこと
７  クライアントコンピューターのこと
８  タブレット端末のこと
９  タブレット端末のこと
１０  タブレット端末のこと
１１  タブレット端末のこと
１２  携帯端末のこと
１３  携帯端末のこと
１４  携帯端末のこと
１５  携帯端末のこと
１６  演算処理部のこと
１６  ＲＯＭのこと
１７  ＲＡＭのこと
１９  操作部のこと
２０  ネットワークインターフェースのこと
２１  表示装置のこと
２２  画像処理部のこと
２３  音声出力装置のこと
２４  音声処理部のこと
２５  外部インターフェースのこと
２６  任意画像動画選択型絵並べゲームシステムのこと
２７  ユーザーのこと
２８  第三者のこと
２９  メインサーバー装置のこと
３０  情報保存サーバー装置のこと
３１  情報記憶部のこと
３２  制御部のこと
３３  同一に並べるべき数字や絵の画像情報、動画情報管理手段のこと
３４  同一に並べるべき数字や絵の背景画像、背景動画情報管理手段のこと
３５  ゲーム管理手段のこと
３６  情報記憶部画像、動画管理手段のこと
３７  情報記憶部画像動画アクセス手段のこと
３８  情報記憶部画像動画アクセス手段のこと
３９  ゲーム実行手段のこと
４０  同一に並べるべき数字や絵の画像情報、動画情報のこと
４１  同一に並べるべき数字や絵の画像情報、動画情報のサンプル画像のこと
４２  同一に並べるべき数字や絵の画像情報、動画情報のサンプル画像のこと
４３  同一に並べるべき数字や絵の画像情報、動画情報のサンプル画像のこと
４４  同一に並べるべき数字や絵の画像情報、動画情報のサンプル画像のこと
４５  同一に並べるべき数字や絵の画像情報、動画情報のための背景画像情報、動画情報のこと
４６  同一に並べるべき数字や絵の画像情報、動画情報のための背景画像情報、動画情報のサンプル画像のこと
４７  同一に並べるべき数字や絵の画像情報、動画情報のための背景画像情報、動画情報のサンプル画像のこと
４８  同一に並べるべき数字や絵の画像情報、動画情報のための背景画像情報、動画情報のサンプル画像のこと
４９  同一に並べるべき数字や絵の画像情報、動画情報のための背景画像情報、動画情報のサンプル画像のこと
５０  同一に並べるべき数字や絵の画像情報、動画情報が、それに対応する背景画像情報、動画情報上に表示されているサンプル画像のこと
５１  同一に並べるべき数字や絵の画像情報、動画情報が、それに対応する背景画像情報、動画情報上に表示されているサンプル画像のこと
５２  同一に並べるべき数字や絵の画像情報、動画情報が、それに対応する背景画像情報、動画情報上に表示されているサンプル画像のこと
５３  同一に並べるべき数字や絵の画像情報、動画情報が、それに対応する背景画像情報、動画情報上に表示されているサンプル画像のこと
５４  同一に並べるべき数字や絵が、任意に表示されているサンプル画像のこと
５５  同一に並べるべき数字や絵が、任意に表示されているサンプル画像のこと
５６  同一に並べるべき数字や絵が、任意に表示されているサンプル画像のこと
５７  同一に並べるべき数字や絵が、ランダムに任意に表示され続けていることを示している矢印で表していること
５８  停止ボタンのこと
５９  同一に並べるべき数字や絵が、同一方向に並んだ状態のサンプル画像のこと
６０  同一に並べるべき数字や絵が、同一方向に並んだ状態のサンプル画像のこと
６１  同一に並べるべき数字や絵が、同一方向に並んだ状態のサンプル画像のこと
【図１】
2017079936.tif 000003
【図２】
2017079936.tif 000004
【図３】
2017079936.tif 000005
【図４】
2017079936.tif 000006
【図５】
2017079936.tif 000007
【図６】
2017079936.tif 000008
【図７】
2017079936.tif 000009
【図８】
2017079936.tif 000010
【図９】
2017079936.tif 000011
【図１０】
2017079936.tif 000012
【図１１】
2017079936.tif 000013
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
ユーザーが操作する端末装置に通信回線網を介して接続され、かつ、ユーザーが同一に並べるべき数字や絵が任意に表示され続けている中で、停止ボタンを押し、制止させ、同一方向に同一の数字や絵を並べるゲームを提供し、前記ゲームに関連する情報を記憶する情報記憶部、あるいは、前記ゲームに関連する情報を記憶する情報保存サーバー装置の情報記憶部との連携手段と、前記情報にアクセスし、前記ゲームに関する演算を実行し、かつ、前記ゲームの画像を、前記端末装置に表示させる制御部とを備えるサーバー装置であって、 
前記情報記憶部に、同一に並べるべき数字や絵の画像情報、動画情報及びそれに対応する背景画像情報、動画情報を記憶させ、 
前記制御部により、同一に並べるべき数字や絵の画像情報、動画情報が、それに対応する背景画像情報、動画情報上に表示されるように管理し、 
さらに、ユーザーが、前記情報記憶部に記憶されている同一に並べるべき数字や絵の画像情報、動画情報 
及び／又は前記情報記憶部に記憶されている、同一に並べるべき数字や絵の画像情報、動画情報に対応する背景画像情報、動画情報を任意に選択し、 
その上で、ユーザーが、同一に並べるべき数字や絵が任意に表示され続けている中で、停止ボタンを押し、制止させ、同一方向に同一の数字や絵を並べるゲームを管理する手段を提供する、 
サーバー装置。 
【請求項２】
ユーザーが操作する端末装置に通信回線網を介して接続され、かつ、ユーザーが同一に並べるべき数字や絵が任意に表示され続けている中で、停止ボタンを押し、制止させ、同一方向に同一の数字や絵を並べるゲームを提供し、前記ゲームに関連する情報を記憶する情報記憶部、あるいは、前記ゲームに関連する情報を記憶する情報保存サーバー装置の情報記憶部との連携手段と、前記情報にアクセスし、前記ゲームに関する演算を実行し、かつ、前記ゲームの画像を、前記端末装置に表示させる制御部とを備えるサーバー装置の制御方法であって、 
前記情報記憶部に、同一に並べるべき数字や絵の画像情報、動画情報及びそれに対応する背景画像情報、動画情報を記憶させ、 
前記制御部により、同一に並べるべき数字や絵の画像情報、動画情報が、それに対応する背景画像情報、動画情報上に表示されるように管理し、 
さらに、ユーザーが、前記情報記憶部に記憶されている同一に並べるべき数字や絵の画像情報、動画情報、 
及び／又は前記情報記憶部に記憶されている、同一に並べるべき数字や絵の画像情報、動画情報に対応する背景画像情報、動画情報を任意に選択し、 
その上で、ユーザーが、同一に並べるべき数字や絵が任意に表示され続けている中で、停止ボタンを押し、制止させ、同一方向に同一の数字や絵を並べるゲームを管理する手段を提供する、 
サーバー装置の制御方法。 
【請求項３】
ユーザーが操作する端末装置に通信回線網を介して接続され、かつ、ユーザーが同一に並べるべき数字や絵が任意に表示され続けている中で、停止ボタンを押し、制止させ、同一方向に同一の数字や絵を並べるゲームに関連する情報を記憶する情報記憶部、あるいは、前記ゲームに関連する情報を記憶する情報保存サーバーの情報記憶部にアクセス可能なサーバー装置に、 
前記情報記憶部に、同一に並べるべき数字や絵の画像情報、動画情報及びそれに対応する背景画像情報、動画情報を記憶させ、 
前記制御部により、同一に並べるべき数字や絵の画像情報、動画情報が、それに対応する背景画像情報、動画情報上に表示されるように管理し、 
さらに、ユーザーが、前記情報記憶部に記憶されている同一に並べるべき数字や絵の画像情報、動画情報、 
及び／又は前記情報記憶部に記憶されている、同一に並べるべき数字や絵の画像情報、動画情報に対応する背景画像情報、動画情報を任意に選択し、 
その上で、ユーザーが同一に並べるべき数字や絵が任意に表示され続けている中で、停止ボタンを押し、制止させ、同一方向に同一の数字や絵を並べるゲームに関する演算を実行し、かつ、前記ゲームの画像を、前記端末装置に表示させるためのプログラム。 
【請求項４】
ユーザーが同一に並べるべき数字や絵が任意に表示され続けている中で、停止ボタンを押し、制止させ、同一方向に同一の数字や絵を並べるゲームを提供する端末装置であって、 
前記ゲームに関連する情報を記憶する情報記憶部、 
あるいは、前記ゲームに関連する情報を記憶する情報記憶部を有する通信回線網を介して接続されたサーバー装置との連携手段と、 
前記情報にアクセスし、前記ゲームに関する演算を実行し、かつ、前記ゲームの画像を 
前記端末装置に表示させる制御部と、 
を備えており、 
前記情報記憶部は、同一に並べるべき数字や絵の画像情報、動画情報及びそれに対応する背景画像情報、動画情報を有しており、 
前記制御部は、同一に並べるべき数字や絵の画像情報、動画情報が、それに対応する背景画像情報、動画情報上に表示されるように管理し、 
さらに、ユーザーが、前記情報記憶部に記憶されている同一に並べるべき数字や絵の画像情報、動画情報、 
及び／又は前記情報記憶部に記憶されている、同一に並べるべき数字や絵の画像情報、動画情報に対応する背景画像情報、動画情報を任意に選択し、 
その上で、ユーザーが、同一に並べるべき数字や絵が任意に表示され続けている中で、停止ボタンを押し、制止させ、同一方向に同一の数字や絵を並べるゲームを管理する手段を提供する、 
端末装置。 
【請求項５】
ユーザーが同一に並べるべき数字や絵が任意に表示され続けている中で、停止ボタンを押し、制止させ、同一方向に同一の数字や絵を並べるゲームを提供する端末装置の制御方法であって、 
前記ゲームに関連する情報を記憶する情報記憶部、 
あるいは、前記ゲームに関連する情報を記憶する情報記憶部を有する通信回線網を介して接続されたサーバー装置との連携手段と、 
前記情報にアクセスし、前記ゲームに関する演算を実行し、かつ、前記ゲームの画像を 
前記端末装置に表示させる制御部と、 
を備えており、 
前記情報記憶部は、同一に並べるべき数字や絵の画像情報、動画情報及びそれに対応する背景画像情報、動画情報を有しており、 
前記制御部は、同一に並べるべき数字や絵の画像情報、動画情報が、それに対応する背景画像情報、動画情報上に表示されるように管理し、 
さらに、ユーザーが、前記情報記憶部に記憶されている同一に並べるべき数字や絵の画像情報、動画情報、 
及び／又は前記情報記憶部に記憶されている、同一に並べるべき数字や絵の画像情報、動画情報に対応する背景画像情報、動画情報を任意に選択し、 
その上で、ユーザーが、同一に並べるべき数字や絵が任意に表示され続けている中で、停止ボタンを押し、制止させ、同一方向に同一の数字や絵を並べるゲームを管理する手段を提供する、 
端末装置の制御方法。 
【請求項６】
ユーザーが同一に並べるべき数字や絵が任意に表示され続けている中で、停止ボタンを押し、制止させ、同一方向に同一の数字や絵を並べるゲームを提供する、 
前記ゲームに関連する情報を記憶する情報記憶部、 
あるいは、前記ゲームに関連する情報を記憶する情報記憶部を有する通信回線網を介して接続されたサーバー装置との連携手段と 
前記情報にアクセスし、前記ゲームに関する演算を実行し、かつ、前記ゲームの画像を、前記端末装置に表示させる制御部とを備える端末装置上の、 
前記情報記憶部に、同一に並べるべき数字や絵の画像情報、動画情報及びそれに対応する背景画像情報、動画情報を記憶させ、 
前記制御部により、同一に並べるべき数字や絵の画像情報、動画情報が、それに対応する背景画像情報、動画情報上に表示されるように管理し、 
さらに、ユーザーが、前記情報記憶部に記憶されている同一に並べるべき数字や絵の画像情報、動画情報、 
及び／又は前記情報記憶部に記憶されている、同一に並べるべき数字や絵の画像情報、動画情報に対応する背景画像情報、動画情報を任意に選択し、 
その上で、ユーザーが同一に並べるべき数字や絵が任意に表示され続けている中で、停止ボタンを押し、制止させ、同一方向に同一の数字や絵を並べるゲームに関する演算を実行し、かつ、前記ゲームの画像を、前記端末装置に表示させるためのプログラム。
【請求項７】
ユーザーが操作する端末装置に通信回線網を介して接続され、かつ、ユーザーが同一に並べるべき数字や絵が任意に表示され続けている中で、停止ボタンを押し、制止させ、同一方向に同一の数字や絵を並べるゲームを提供し、 
前記ゲームに関連する情報を記憶する情報記憶部、 
あるいは、前記ゲームに関連する情報を記憶する情報保存サーバー装置の情報記憶部との連携手段と、 
前記情報にアクセスし、前記ゲームに関する演算を実行し、かつ、前記ゲームの画像を、 
前記端末装置に表示させる制御部とを備えるサーバー装置上の、 
前記情報記憶部に、同一に並べるべき数字や絵の画像情報、動画情報及びそれに対応する背景画像情報、動画情報を記憶させ、 
前記制御部により、同一に並べるべき数字や絵の画像情報、動画情報が、それに対応する背景画像情報、動画情報上に表示されるように管理し、 
さらに、ユーザーが、前記情報記憶部に記憶されている同一に並べるべき数字や絵の画像情報、動画情報、 
及び／又は前記情報記憶部に記憶されている、同一に並べるべき数字や絵の画像情報、動画情報に対応する背景画像情報、動画情報を任意に選択し、 
その上で、ユーザーが、同一に並べるべき数字や絵が任意に表示され続けている中で、停止ボタンを押し、制止させ、同一方向に同一の数字や絵を並べるゲームを管理する手段を提供する、 
ゲームシステム。 
【請求項８】
ユーザーが同一に並べるべき数字や絵が任意に表示され続けている中で、停止ボタンを押し、制止させ、同一方向に同一の数字や絵を並べるゲームを提供する、 
前記ゲームに関連する情報を記憶する情報記憶部 
あるいは、前記ゲームに関連する情報を記憶する情報記憶部を有する通信回線網を介して接続されたサーバー装置との連携手段と 
前記情報にアクセスし、前記ゲームに関する演算を実行し、かつ、前記ゲームの画像を 
前記端末装置に表示させる制御部とを備えた端末装置上の、 
前記情報記憶部に、同一に並べるべき数字や絵の画像情報、動画情報及びそれに対応する背景画像情報、動画情報を有しており、 
前記制御部は、同一に並べるべき数字や絵の画像情報、動画情報が、それに対応する背景画像情報、動画情報上に表示されるように管理し、 
さらに、ユーザーが、前記情報記憶部に記憶されている同一に並べるべき数字や絵の画像情報、動画情報、 
及び／又は前記情報記憶部に記憶されている、同一に並べるべき数字や絵の画像情報、動画情報に対応する背景画像情報、動画情報を任意に選択し、 
その上で、ユーザーが、同一に並べるべき数字や絵が任意に表示され続けている中で、停止ボタンを押し、制止させ、同一方向に同一の数字や絵を並べるゲームを管理する手段を提供する、 
ゲームシステム。